(57)【特許請求の範囲】
【請求項１】
ＬＥＤモジュールと；
一端側に取付面を備え、この取付面にＬＥＤモジュールが取り付けられた基体部と；
ＬＥＤモジュールを覆って基体部の一端に取り付けられたグローブと；
基体部に設けられ、取付面よりも一端側に向けて立上り、かつ、少なくとも一部がグローブの内部および外部の空間に接するように、グローブの肉厚方向に亘って設けられてグローブの内部と外部とを繋ぐ放熱フィンと；
ＬＥＤモジュールのＬＥＤを点灯する点灯回路と；
基体部の他端側に設けられ点灯回路と電気的に接続された口金と；
を具備していることを特徴とするＬＥＤ電球。
【請求項２】
ＬＥＤモジュールと；
一端側に取付面を備え、この取付面にＬＥＤモジュールを取付けられた基体部と；
ＬＥＤモジュールを覆って基体部の一端に取り付けられたグローブと；
基体部に設けられ、取付面よりも一端側に沿って立上り、少なくとも一部がグローブの内部にグローブの肉厚方向に亘って挿入されてグローブの内部空間と外部の空間とを接続する複数個の放熱フィンと；
ＬＥＤモジュールのＬＥＤを点灯する点灯回路と；
基体部の他端側に設けられ点灯回路と電気的に接続された口金と；
を具備していることを特徴とするＬＥＤ電球。
【請求項３】
請求項１または２記載のＬＥＤ電球と；
このＬＥＤ電球が装着された器具本体と；
を具備していることを特徴とする照明器具。
【発明の詳細な説明】
【技術分野】
【０００１】
本発明は、ＬＥＤを光源とするＬＥＤ電球及び照明器具に関する。
【背景技術】
【０００２】
発光ダイオード（ＬＥＤ）の発光効率の向上により、一般照明用あるいは装飾用の光源としてＬＥＤを採用する電球形ランプや点灯ユニット等のＬＥＤ電球が商品化されてきている。特に、電球代替えを目的とした電球口金付きで、ガラスバルブ内にＬＥＤを配置するとともに、内部に点灯回路を設けた一体型のＬＥＤ電球の開発が行われている（例えば、特許文献１参照）。この場合、白色光を得るにあたり、青色ＬＥＤ素子を光源とし黄色蛍光体を通して白色光を得るようにしている。そのため、青色ＬＥＤ素子を封止体で封止し青色ＬＥＤ素子の近傍に黄色蛍光体を一体形成している。
【０００３】
図７は複数の青色ＬＥＤ素子と黄色蛍光体とを一体形成したＬＥＤモジュールを光源とするＬＥＤ電球の一例を示す正面図である。複数のＬＥＤが面実装されたＬＥＤモジュール１１は、放熱部１２の放熱板１３に接触して取り付けられている。また、放熱部１２の放熱板１３には、ＬＥＤモジュール１１を覆ってグローブ１４が取り付けられ、ＬＥＤモジュール１１のＬＥＤからの放射光を外部に出射する。一方、放熱部１２のグローブ１４の反対側には絶縁部材１５を介して口金１６が取り付けられている。放熱部１２の内部は中空となっており、この放熱部１２の中空部にＬＥＤを点灯する点灯回路が内蔵されている。ＬＥＤモジュール１１のＬＥＤの熱は放熱板１３を通って放熱部１２の外表面に伝熱され放熱される。
【０００４】
図８は図７に示したＬＥＤ電球のＬＥＤモジュール１１の構成図である。ＬＥＤモジュール１１は、平板状の直方体の基板１８の一面に複数の青色ＬＥＤ素子１９が面実装され、側面部から配線２０が引き出されている。そして、青色ＬＥＤ素子１９の前面部には透明樹脂からなるコーティング層２１が形成されており、このコーティング層２１の中に黄色蛍光体２２が分散されている。黄色蛍光体２２は、青色ＬＥＤ素子１９からの光を黄色蛍光体２２を通して出射しＬＥＤモジュール１１として白色光を得るようにしている。ＬＥＤモジュール１１は、ＬＥＤモジュール１１の青色ＬＥＤ素子１９が面実装された面をグローブ１４側の向きにして放熱部１２の放熱板１３に配置される。
【０００５】
一方、ＬＥＤを封止部材で封止し、ＬＥＤに近接して蛍光体を含む塗料を塗布したＬＥＤ電球としては、真空引きして密閉したガラスバルブ内にＬＥＤを設置し、蛍光体層はガラスバルブの内面に塗布してＬＥＤと組み合わせる前の工程で蛍光体層を焼成して蛍光体以外の成分を取り除くようにしたものがある（例えば、特許文献２参照）。これにより、封止部材の劣化や蛍光体の劣化を抑制するとともに透過率の低下や着色による色ズレを抑制する。
【先行技術文献】
【特許文献】
【０００６】
【特許文献１】特開２００６−３１３７１７号公報
【特許文献２】特開２００５−５５４６号公報
【発明の開示】
【発明が解決しようとする課題】
【０００７】
しかし、特許文献１の電球代替えを目的としたＬＥＤ電球の場合、光源として例えば複数のパワーＬＥＤを使用しても数Ｗ程度であり、電球の明るさを確保するのは容易ではない。一般電球のような配光を得て照度を保つためには、複数のＬＥＤを採用してランプ全体を光らせる必要がある。そうした場合には、ＬＥＤの個数が増え高価となる。
【０００８】
また、図７に示したＬＥＤ電球では、青色ＬＥＤ素子を封止体で封止し青色ＬＥＤ素子の前面部に黄色蛍光体を一体形成しているので、青色ＬＥＤ素子からの光の一部が黄色蛍光体で拡散し、ＬＥＤモジュールからの白色光の取り出し効率が低下する。また、青色ＬＥＤ素子の放熱が黄色蛍光体により阻害されＬＥＤモジュール１１の温度が上昇し、黄色蛍光体の白色光への変換効率が低下する。これらにより、ＬＥＤモジュールの発光効率が低下する。
【０００９】
一方、特許文献２のものでは、蛍光体層はガラスバルブの内面に塗布しているので、ＬＥＤからの熱による蛍光体の劣化を抑制でき、また、ＬＥＤから発生した紫外線はほとんどロスすることなく蛍光体層に到達するので周囲環境の影響も受けにくいものであるが、複数のＬＥＤを採用したものではないので、ＬＥＤからの熱による発光効率の低下についての考慮がない。
【００１０】
本発明の目的は、ＬＥＤモジュールを光源とし、ＬＥＤ素子からの熱を効率的に放熱でき、発光効率を高めたＬＥＤ電球及び照明器具を提供することである。
【課題を解決するための手段】
【００１１】
請求項１の発明に係るＬＥＤ電球は、ＬＥＤモジュールと；一端側に取付面を備え、この取付面にＬＥＤモジュールが取り付けられた基体部と；ＬＥＤモジュールを覆って基体部の一端に取り付けられたグローブと；基体部に設けられ、取付面よりも一端側に向けて立上り、かつ、少なくとも一部がグローブの内部および外部の空間に接するように、グローブの肉厚方向に亘って設けられてグローブの内部と外部とを繋ぐ放熱フィンと；ＬＥＤモジュールのＬＥＤを点灯する点灯回路と；基体部の他端側に設けられ点灯回路と電気的に接続された口金と；を具備していることを特徴とする。
【００１２】
請求項２の発明に係るＬＥＤ電球は、ＬＥＤモジュールと；一端側に取付面を備え、この取付面にＬＥＤモジュールを取付けられた基体部と；ＬＥＤモジュールを覆って基体部の一端に取り付けられたグローブと；基体部に設けられ、取付面よりも一端側に沿って立上り、少なくとも一部がグローブの内部にグローブの肉厚方向に亘って挿入されてグローブの内部空間と外部の空間とを接続する複数個の放熱フィンと；ＬＥＤモジュールのＬＥＤを点灯する点灯回路と；基体部の他端側に設けられ点灯回路と電気的に接続された口金と；を具備していることを特徴とする。
【００１３】
請求項３の発明に係る照明器具は、請求項１または２記載のＬＥＤ電球と；このＬＥＤ電球が装着された器具本体と；を具備していることを特徴とする。
【発明の効果】
【００１４】
請求項１の発明によれば、放熱フィンによりグローブの内部と外部とを繋ぐことにより点灯中の放熱効果を向上させることが可能になる。
【００１５】
請求項２の発明によれば、複数個の放熱フィンがグローブの内部空間と外部の空間とを接続するので、点灯中の放熱効果を向上させることが可能になる。
【００１６】
請求項３の発明によれば、請求項１または２の効果を有する照明器具を提供できる。
【図面の簡単な説明】
【００１７】
【図１】本発明の参考例となるＬＥＤ電球の一例を示す正面図。
【図２】図１に示したＬＥＤ電球のＬＥＤモジュールの構成図。
【図３】図１に示した参考例のＬＥＤ電球及び図７に示した従来例のＬＥＤ電球の試験データのグラフ。
【図４】本発明の参考例となるＬＥＤ電球の他の一例を示す正面図。
【図５】本発明の参考例となるＬＥＤ電球の別の他の一例を示す正面図。
【図６】本発明の実施の形態に係るＬＥＤ電球を示す正面図。
【図７】複数の青色ＬＥＤ素子と黄色蛍光体とを一体形成したＬＥＤモジュールを光    源とする従来のＬＥＤ電球の一例を示す正面図。
【図８】図７に示したＬＥＤ電球のＬＥＤモジュールの構成図。
【発明を実施するための最良の形態】
【００１８】
図１は本発明の参考例に係るＬＥＤ電球の一例を示す正面図である。この参考例は、図７に示した従来例に対し、黄色蛍光体２２をグローブ１４に塗布して、光源部であるＬＥＤモジュール１１Ａの青色ＬＥＤ素子と黄色蛍光体２２とを分離したものである。図７と同一要素には同一符号を付して説明する。
【００１９】
ＬＥＤモジュール１１Ａは、黄色発光体が一体形成されていない複数の青色ＬＥＤ素子が面実装されたＬＥＤモジュールであり、青色ＬＥＤ素子の発光により青色光を放射する。ＬＥＤモジュール１１Ａは、基体部としての放熱部１２の放熱板１３に接触して取り付けられ、放熱部１２の放熱板１３には、ＬＥＤモジュール１１Ａを覆ってグローブ１４が取り付けられている。グローブ１４の内表面には黄色発光体２２が塗布され、ＬＥＤモジュール１１Ａの青色ＬＥＤ素子からの青色光を黄色発光体２２で白色光に変換しグローブ１４の外部に白色光が放射される。
【００２０】
なお、グローブ１４の外観形状は、ほぼ球体形状となっているが、回転楕円体形状を一部に有するものを採用してもよい。この回転楕円体形状グローブを用いる場合には、ＬＥＤ電球の中心軸を回転軸とし、この回転軸に楕円の短軸が位置するような向きの回転体形状にすると、ＬＥＤ電球の側方に配光が広がるため、ＬＥＤ電球を横置き（水平配設）するダウンライト等の照明器具に適用する際に有利である。
【００２１】
一方、放熱部１２のグローブ１４の反対側には合成樹脂製の絶縁部材１５が設けられており、この絶縁部材１５を介して口金１６が取り付けられている。放熱部１２の内部は中空となっており、この放熱部１２の中空部に青色ＬＥＤ素子を点灯する点灯回路が内蔵されている。放熱部１２の側面部には複数の放熱フィン１７が設けられ、ＬＥＤモジュール１１Ａの青色ＬＥＤ素子の熱は放熱板１３を介して複数の放熱フィン１７に伝熱され、複数の放熱フィン１７から放熱される。
【００２２】
図２は図１に示したＬＥＤ電球のＬＥＤモジュール１１Ａの構成図である。ＬＥＤモジュール１１Ａは、平板状の直方体の基板１８の一面に複数の青色ＬＥＤ素子１９が面実装されて構成され、側面部から配線２０が引き出されている。ＬＥＤモジュール１１Ａは、ＬＥＤモジュール１１Ａの青色ＬＥＤ素子１９が面実装された面をグローブ１４側の向きにして放熱部１２の放熱板１３に配置される。
【００２３】
図３は、図１に示した本発明の参考例のＬＥＤ電球及び図７に示した従来例のＬＥＤ電球の試験データのグラフである。曲線Ｓ１は本発明の参考例によるＬＥＤ電球の光束、曲線Ｓ２は従来のＬＥＤ電球の光束を示している。
【００２４】
本発明の参考例によるＬＥＤ電球（青色ＬＥＤ素子モジュール１１Ａ／黄色蛍光体グローブ方式）と、従来のＬＥＤ電球（白色ＬＥＤモジュール１１／シリカグローブ方式）とを用意した。すなわち、試験用ＬＥＤモジュールとして、大きさが約２３ｍｍのアルミ基板で、ＬＥＤとしてミドルチップ３０ｐ（３０個のＬＥＤ）が配列されたものを用意した。そして、一方は青色ＬＥＤ素子モジュール１１Ａ（黄色蛍光体なし）、他方は白色ＬＥＤモジュール１１（黄色蛍光体あり）を用意し、青色ＬＥＤ素子モジュール１１Ａ及び白色ＬＥＤモジュール１１を同時に点灯した。
【００２５】
点灯時点のグローブ１４からの光束を測定し比較すると、本発明の参考例によるＬＥＤ電球の光束を１００％としたとき、従来の従来のＬＥＤ電球の光束は約８０％であった。これは、従来のＬＥＤ電球の白色ＬＥＤモジュール１１では、青色ＬＥＤ素子からの光の一部が黄色蛍光体２２で拡散し、ＬＥＤモジュール１１からの白色光の取り出し効率が低下しているためと判断される。
【００２６】
このように、温度特性を考慮しない場合（点灯直後）には、本発明の参考例によるＬＥＤ電球の方が従来のＬＥＤ電球より、発光効率が約２割高いことが確認された。
【００２７】
次に、温度特性を知るために、青色ＬＥＤ素子モジュール１１Ａ及び白色ＬＥＤモジュール１１の基板温度及び光束を測定した。その結果、点灯１０分後において、白色ＬＥＤモジュールの基板温度は約９０℃、青色ＬＥＤ素子モジュールの基板温度は約６５℃となった。また、光束は、それぞれ点灯直後の光束と比較して、白色ＬＥＤモジュールは約８０％、青色ＬＥＤ素子モジュールで約９７％となった。これは、白色ＬＥＤモジュールの場合は、黄色蛍光体が青色ＬＥＤ素子の近傍に一体形成されており、青色ＬＥＤ素子の放熱が黄色蛍光体により阻害され、白色ＬＥＤモジュール１１の温度が上昇して黄色蛍光体の白色光への変換効率が低下するためであると判断される。
【００２８】
このように、温度特性を考慮した場合には、本発明の参考例によるＬＥＤ電球の方が従来のＬＥＤ電球より、発光効率が約１．５倍｛９７％／（８０％×８０％）｝となることが確認された。
【００２９】
ここで、図１に示した本発明の参考例では、グローブ１４に黄色蛍光体を塗布することから、グローブ１４に塗布された黄色蛍光体２２の色味が青色ＬＥＤ素子モジュール１１Ａの消灯のときに目立つことになり、人によっては違和感を与えることがある。そこで、グローブ１４の外表面にフロスト処理等の拡散加工を施し、青色ＬＥＤ素子が消灯のときのグローブに塗布された黄色蛍光体の色味を緩和する。
【００３０】
拡散加工は光を拡散させるための処理であればよく、例えば、グローブ１４の外表面にシリカを塗布したり、グローブの外表面を粗面加工して、グローブ１４への外部光を拡散させ、青色ＬＥＤ素子が消灯のときのグローブ１４に塗布された黄色蛍光体の色味を緩和する。また、グローブ１４に微少な反射材料が混入された透光性光学薄膜のようにキラキラ感を演出する機能膜を施すようにしてもよい。
【００３１】
図４は本発明の参考例であるＬＥＤ電球の他の一例を示す正面図である。この一例では、グローブはほぼ球体形であり内面に黄色蛍光体が塗布されているが、外表面には微少なファセット平面（ポリゴン）が形成された多面体で構成されている。
【００３２】
このようにグローブ外表面が微少な多面体になっていることにより、消灯時に生じるグローブに塗布した蛍光体の色味を緩和することができる。また、多面体のプリズム効果により微少なポリゴン内で分光した虹色がグローブ外表面に浮き出されるので、ＬＥＤ電球の高級感を演出することが可能となる。
【００３３】
なお、図面では微少なファセット平面で構成された多面体を示しているが、正五角形と正六角形で構成された準正多面体（切隅二十面体）としてもよいし、これ以外に正三角形の組み合わせや、ブリリアンカットのように異なる形状の組み合わせてあってもよい。
【００３４】
また、図５に示すように、グローブ１４を内側のグローブ１４Ａと拡散グローブ１４Ｂとの２層構造とし、内側のグローブ１４Ａに黄色蛍光体２２を塗布し、その内側のグローブ１４Ａの外側に内側のグローブ１４Ａを覆うように、黄色蛍光体２２を塗布しない拡散グローブ１４Ｂを設け、青色ＬＥＤ素子が消灯のときの内側のグローブ１４Ａに塗布された黄色蛍光体の色味を緩和するようにしてもよい。
【００３５】
本発明の参考例であるこれらの一例によれば、黄色蛍光体２２をグローブ１４に塗布して、光源部であるＬＥＤモジュール１１Ａの青色ＬＥＤ素子１９と黄色蛍光体２２とを分離するので、ＬＥＤモジュール１１Ａの青色ＬＥＤ素子１９からの光が黄色蛍光体２２で拡散することを避けることができる。従って、発光効率を向上させることができ、ＬＥＤモジュール１１Ａの放熱も促進できる。
【００３６】
また、グローブ１４に拡散加工を施した場合には、グローブ１４に照射される外部光を拡散できるので、ＬＥＤモジュール１１Ａの青色ＬＥＤ素子１９が消灯のときのグローブ１４に塗布された黄色蛍光体２２の色味を緩和でき、グローブ１４の外観の見栄えをよくすることができる。
【００３７】
また、グローブ１４を内側のグローブ１４Ａと拡散グローブ１４Ｂとの２層構造とし、内側のグローブ１４Ａに黄色蛍光体２２を塗布し、その内側のグローブ１４Ａを覆って拡散グローブ１４Ｂを設けることにより、ＬＥＤモジュール１１Ａの青色ＬＥＤ素子１９が消灯のときの内側のグローブ１４Ａに塗布された黄色蛍光体の色味を緩和できる。これにより、グローブ全体の外観の見栄えをよくすることができる。
【００３８】
以上説明した参考例を参照して、本発明の一実施形態を図６を参照して説明する。図６において、参考例と同じまたは対応する部分には同じ符号を付してある。本実施形態では、放熱フィン１７は、ほぼ球面形状のグローブ１４に沿ってグローブ１４の最大径部付近まで伸びている。このような放熱フィン１７によれば、放熱フィン１７の放熱面積が大きくなり、放熱効果を高くすることができ、またグローブ１４から放射される光量が低下することも抑えられる。
【００３９】
例えば、ミニクリプトン電球代替えのＬＥＤ電球を実現しようとした場合、必要な光学性能を得るためのＬＥＤチップ及び蛍光体より発生する熱を放熱するための十分なヒートシンクを、ミニクリプトン電球のサイズ内に確保することは容易ではない。まず、ミニクリプトン電球の光束は４０Ｗ形で５００ｌｍ、６０Ｗ形で８００ｌｍであるが、このためには５〜１０Ｗの投入電力が必要となる。一方、この電力分を放熱するためのヒートシンクは、口金１６からグローブ１４のネック部だけに留まらず、発光部であるグローブ１４の球形部分にまで及ぶ面積が必要となる。
【００４０】
しかしながら、この場合、本来の発光部である部分が非発光部になるため、配光がミニクリプトン電球と異なってしまう問題が生じる。通常の電球は、口金部分を除いて、放射状にほぼ３６０°の配光であるが、極端な例を挙げれば、球形の半分付近までヒートシンクで構成すると、電球の口金側半分が非発光部になり、１８０°程度の配光となってしまう。このクリプトン電球の場合、照明器具に組み込まれるときの点灯方向は必ずしも鉛直下向きではなく、
横向きや斜め下向きなど様々である。従って、電球の配光が違えば、電球を照明器具に組み込んだ場合の配光も違うものとなり、代替えできない。
【００４１】
しかしながら、本実施形態では、ヒートシンクとしての放熱フィン１７によって口金側の発光部の光放射を大きく遮断することがないので、ミニクリプトン電球とほぼ同じ配光を実現できる。そしてさらに、この放熱フィン１７の先端部分とグローブ内とを空間的に繋げている。すなわち、放熱フィン１７がグローブ１４の内部および外部の空間に接するように設けられている。例えば、放熱フィン１７の先端部分に対向する穴をグローブ１４に形成し、この穴に放熱フィン１７の先端を挿入して空間的な接続を図り、これによって、放熱フィン１７がグローブ１４の内部空間および外部空間の何れにも接するようにすることができる。
【００４２】
このように、グローブ内部に放熱フィン１７を挿入することによって、ＬＥＤ電球点灯中のＬＥＤモジュールの回路基板の温度を図１の参考例より１０℃低減することが可能となる。なお、グローブ内部に放熱フィン１７を挿入することに代えて、放熱フィン１７を熱的に接続された金属製メッシュをグローブ全体を覆うようにして、このメッシュを放熱部として作用させてもよい。このように、メッシュを配置することによって放熱面積を大きくすることができ、またグローブ１４の光放射が損なわれることがない。
【符号の説明】
【００４３】
１１…ＬＥＤモジュール、１２…放熱部、１３…基体部としての放熱板、１４…グローブ、１５…絶縁部材、１６…口金、１７…放熱フィン、１８…基板、１９…青色ＬＥＤ素子、２０…配線、２１…コーティング層、２２…黄色蛍光体
【図１】
0005376264.tif 000002
【図２】
0005376264.tif 000003
【図３】
0005376264.tif 000004
【図４】
0005376264.tif 000005
【図５】
0005376264.tif 000006
【図６】
0005376264.tif 000007
【図７】
0005376264.tif 000008
【図８】
0005376264.tif 000009